(57)【要約】      （修正有）【課題】同一の錠制御装置への個別化結果を表示可能にして、特定の利用者に確実に関連付けることのできる錠操作用携帯器の提供。【解決手段】予め認証用ＩＤが登録された錠制御装置との交信手段である送受信部２と、錠制御装置への認証用ＩＤの登録時に錠制御装置により割り当てられ、同一の錠制御装置に対する他の認証可能携帯器との識別が可能な個体識別コードを格納するコード記憶部３と、振動センサ５による振動検出時もしくは施解錠操作ボタン６の押下時に、個体識別コードを基にＬＥＤ４により個体区別表示を行う表示部を有する。【選択図】図４
2007231603.tif 000002
【特許請求の範囲】
【請求項１】
予め認証用ＩＤが登録された錠制御装置との交信手段と、
錠制御装置への認証用ＩＤの登録時に錠制御装置により割り当てられ、同一の錠制御装置に対する他の認証可能携帯器との識別が可能な個体識別コードを格納するコード記憶部と、
個体識別コードを基に個体区別表示を表示する表示部とを有する錠操作用携帯器。
【請求項２】
振動センサを有し、
前記表示部への個体区別表示が振動センサによる振動検出により開始される請求項１記載の錠操作用携帯器。
【請求項３】
錠制御装置への認証用ＩＤ送信開始操作部を有し、
前記表示部への個体区別表示が認証用ＩＤ送信開始操作部への操作より開始される請求項１または２記載の錠操作用携帯器。
【発明の詳細な説明】
【技術分野】
【０００１】
本発明は、錠操作用携帯器に関するものである。
【背景技術】
【０００２】
錠制御装置への認証用ＩＤ出力手段を備えた錠操作用携帯器としては、特許文献１に記載のものが知られている。この従来例において、携帯器には固有の認証用ＩＤが設定されており、コントローラ（錠制御装置）への登録が完了すると、以後、コントローラは、携帯器からの認証用ＩＤの受領を条件に施解錠操作が行われる。
【０００３】
各携帯器には、呼び出しコードが設定されており、コントローラは、まず呼び出しコードを携帯器に送信し、この呼び出しコードに対応する携帯器からの認証用ＩＤのみを認証して他の携帯器との混信を防止する。
【特許文献１】特開２００４-３１５３号公報
【発明の開示】
【発明が解決しようとする課題】
【０００４】
しかし、上述した従来例において、同一コントローラに登録された各携帯器は、コントローラとの間では個別化されてはいるものの、利用者が携帯器間の違いを知ることはできない。この結果、例えば、セキュリティシステムにより入退出者管理を行うような場合には、入退出の人員管理は可能であるものの、入退出者を管理することはできないという問題がある。
【０００５】
この問題を解決するためには、例えば、携帯器の使用者を固定して使用者と携帯器とを一対一対応させることが必要で、携帯器に使用者を示す識別表示を付す必要がある。識別表示の付与は、例えば、識別可能なストラップを携帯器に固定したり、携帯器本体にシール、あるいは識別体を固定して行うことも可能であるが、携帯器が個性化されるタイミングで識別表示を付与しないと取り違え等が生じやすいために、識別表示の付与操作が面倒で、かつ、携帯器識別の信頼性も低いという問題がある。
【０００６】
すなわち、携帯器の個性化は、例えば携帯器のコントローラへの登録順等をもとに行われ、個別化の結果は携帯器外部に知らされることはない。したがって、携帯器に識別表示を付すためには、この個別化されるタイミングで個別化された携帯器を特定する必要があり、操作が面倒で、間違いやすく、かつ、識別表示を付した後にコントローラにおける個別化の結果との一致を確認する手段がないために、信頼性も低くなる。
【０００７】
本発明は、以上の欠点を解消すべくなされたものであって、同一の錠制御装置１への個別化結果を表示可能にして、特定の利用者に確実に関連付けることのできる錠操作用携帯器を提供することを目的とする。
【課題を解決するための手段】
【０００８】
本発明によれば上記目的は、
予め認証用ＩＤが登録された錠制御装置１との交信手段２と、
錠制御装置１への認証用ＩＤの登録時に錠制御装置１により割り当てられ、同一の錠制御装置１に対する他の認証可能携帯器との識別が可能な個体識別コードを格納するコード記憶部３と、
個体識別コードを基に個体区別表示を表示する表示部４とを有する錠操作用携帯器を提供することにより達成される。
【０００９】
錠制御装置１とともに施解錠システムを構成する錠操作用携帯器Ａは、各々固有の認証用ＩＤを有しており、当該認証用ＩＤが錠制御装置１により認証されると扉の施解錠操作が行われる。
【００１０】
特定の錠制御装置１による携帯器Ａの認証を可能にするためには、予め携帯器Ａの錠制御装置１への登録が必要であり、登録要求された錠制御装置１は、携帯器Ａの認証用ＩＤを順次認証可能ＩＤとして登録する。錠制御装置１への登録により、携帯器Ａと錠制御装置１との間には、一対一対応関係が確立され、以後、認証動作は、所定の携帯器Ａが錠制御装置１により認証可能な携帯器Ａの一群に属するか否かを判別して行われる。
【００１１】
個体識別コードは、錠制御装置単位での携帯器Ａの個性化を目的に設定されるもので、認証される錠制御装置１が異なれば、同一の個体識別コードの存在が許される点で上述した認証用ＩＤと異なる。個体識別コードは、携帯器Ａに配置された表示部４に適宜タイミングで表示され、以後、利用者はこの表示部４を確認するだけで操作中の携帯器Ａが自分のために割り当てられたものか否かを簡単に確認することができる。
【００１２】
表示部４には、単数、または複数のＬＥＤ、あるいはＬＣＤが使用できる。個体区別表示は表示部４の表示方法に合わせて適宜決定され、例えば、錠制御装置１への登録順、あるいはこれをもとに利用者が表示部４での表示方法を考慮して設定した信号が使用できる。
【発明の効果】
【００１３】
本発明によれば、同一の錠制御装置への個別化結果を表示できるために、携帯器を特定の利用者に確実に関連付けることができる。
【発明を実施するための最良の形態】
【００１４】
図１に本発明の錠操作用携帯器Ａを使用した通報システムを示す。１は扉７に取り付けられた電気錠からなる錠装置を制御するための錠制御装置１、８は通報システム制御装置、９は利用者が所持する携帯電話等の携帯端末である。Ａは錠制御装置１を操作する権限を有する利用者が所持する携帯器であり、施解錠操作ボタン（認証用ＩＤ送信開始操作部６）と表示部４とを有する。携帯器Ａの表示部４には、複数のＬＥＤを組み込んだ多色発光ＬＥＤが使用される。
【００１５】
錠制御装置１には予め登録された携帯器固有の認証用ＩＤが格納されており、携帯器Ａからの施解錠要求信号を受領すると、送信された認証用ＩＤが登録されたものと一致するか否かを比較し（認証動作）、認証が成立すると錠装置を施解錠駆動する。
【００１６】
錠制御装置１での認証の成立を通報システム制御装置８が検知すると、該通報システム制御装置８は認証により施解錠操作された事実に加え、認証された携帯器Ａを特定する個体識別コードを適宜の通信回線網１０を経由して利用者の携帯端末９に送信する。この信号を受信した携帯端末１０は、予め定められた表示方法によりディスプレイ９ａに誰の所持する携帯器Ａにより施解錠操作されたかを表示し、これを見た携帯端末の所持者は誰が入室、あるいは退室したかを知ることができる。
【００１７】
図４に携帯器Ａの機能ブロック図を示す。携帯器Ａは、図外のＲＯＭ内に格納されたプログラムに記述された手順に基づいて動作して携帯器Ａを制御する制御部としてのＣＰＵ１１と、コード記憶部３と、錠制御装置１との交信手段２である送受信部とを有する。
【００１８】
コード記憶部３には、携帯器固有のＩＤコード、リクエスト用コード、および携帯器番号（個体識別コード）が格納される。リクエスト用コードは、錠制御装置１への携帯器Ａの登録時に設定され、錠制御装置１に最初に登録された携帯器ＡのＩＤコードから抽出した数ビットにより構成され、以後、同一の錠制御装置１に登録される他の携帯器Ａにも同様のリクエストコードが与えられる。また、携帯器番号は、同一の錠制御装置１に対して登録された複数の携帯器Ａ間での重複がないコードであり、この実施の形態においては、錠制御装置１への登録順序が使用される。
【００１９】
１２はＬＥＤ制御部であり、表示部４の発光状態を制御する。表示部４での発光状態は、所持している携帯器Ａと他の携帯器Ａとの区別が可能な個体区別表示として機能するように設定され、望ましくは、錠制御装置１との交信状態をも識別可能な発光方法が採用される。
【００２０】
上記条件を満足する発光状態を例示すれば、発光色により携帯器Ａ種別を表示し、点滅速度、あるいは異なった点滅間隔の順列により交信状態を表示したり、この逆にすることがあげられる。
【００２１】
１３は施解錠操作ボタン６の押下を検出するスイッチ入力部であり、ＣＰＵ１１は、施解錠操作ボタン６の押下を検出すると、ＩＤコードに押下されたボタンの種類により決定されるコード種類信号を付加して認証用ＩＤを生成し、送受信部２から送信する。
【００２２】
１４は振動検出部であり、携帯器Ａ内部に収容された振動センサ５の出力を検出する。ＣＰＵ１１は所定の条件によりセット、クリアされる振動検知有効フラグを準備し、振動検知有効フラグがセット状態の場合にのみ振動検出部の出力を検出する。振動検知有効フラグがセットされた状態で振動検出部１４において携帯器Ａの振動が検出されると、図２のフローチャートに示す手順に従ってＬＥＤ制御部１２が駆動される。
【００２３】
図２に携帯器Ａの制御フローを示す。まず、携帯器Ａは運用開始時において振動検知有効フラグがセット状態とされており（ステップＳ１-１）、当該フラグがセット状態の場合には（ステップＳ１-２）、振動検出部における振動検出を確認する（ステップＳ１-２-１）。携帯器Ａの振動が確認された場合、すなわち、携帯器Ａが動かされた場合には、表示部４に所定の発光状態をセットし、ＬＥＤを所定時間（この実施の形態においては１秒）点灯させて個体区別表示を行い（ステップＳ１-２-２、Ｓ１-２-３、Ｓ１-２-４）、次いで、振動検知有効フラグをクリアする（ステップＳ１-２-５）。
【００２４】
この後、連続的な振動検出によるＬＥＤ発光をキャンセルするために、タイマをスタートさせ（ステップＳ１-２-６）、スイッチ入力部１３の出力変化を監視する（ステップＳ１-５）。
【００２５】
一方、ステップＳ１-２で振動検知有効フラグがクリアされていた場合には、ステップＳ１-２-６でセットしたタイマのタイムアップを確認する（ステップＳ１-３）。ステップＳ１-３でタイムアップしていない場合には、振動検出を検知し（ステップＳ１-４）、振動が検出された場合にはステップＳ１-２-６を実行し、振動が検出されない場合には、ステップＳ１-５を実行する。
【００２６】
これに対し、ステップＳ１-３でタイマがタイムアップしているときには、振動検知有効フラグをセットした後（ステップＳ１-３-１）、ステップＳ１-５を実行する。
【００２７】
ステップＳ１-５で施解錠ボタンの押下が検出されなかった場合、すなわち、利用者による携帯器Ａを使用した能動的な施解錠操作が行われなかった場合には、送受信部２でのリクエストコードを検出する（ステップＳ１-６）。錠制御装置１は、常時リクエスト用コードを出力するように構成することも、あるいは人センサ等による人体検知時、さらには、利用者による錠制御装置１に設けられた操作スイッチの押下によりリクエスト用コードを出力するように構成することもできる。
【００２８】
ステップＳ１-６でリクエストコードが検出された場合には、受信リクエストコードと、コード記憶部３内のリクエストコードとの一致を検出する（ステップＳ１-７）。一致した場合にはリクエストコードの受信完了通知を兼ねた個体区別表示を行った後（ステップＳ１-８）、認証用ＩＤを送受信部にセットし錠制御装置１に出力し（ステップＳ１-９）、次いでＬＥＤ表示を停止して（ステップＳ１-１０）ステップＳ１-２に制御を移す。認証用ＩＤを受信した錠制御装置１は上述した認証動作を行い、認証成立を条件に錠装置を駆動する。
【００２９】
これに対し、ステップＳ１-６でリクエストコードを検出しなかった場合、またはステップＳ１-７でリクエストコードが一致しなかった場合には、携帯器操作による能動的な施解錠操作以外の施解錠動作、すなわち、施錠制御装置１からのリクエストコードに対する応答による受動的な施解錠手続も行われなかったと考えられるために、制御をステップＳ１-２に移す。
【００３０】
また、ステップＳ１-５で能動的な施解錠操作が行われた場合には、ボタン操作完了通知を兼ねた個体区別表示を行った後（ステップＳ１-５-１）、認証用ＩＤを送受信部にセットし錠制御装置１に出力し（ステップＳ１-５-２）、続いてステップＳ１-１０を実行する。
【００３１】
なお、以上においては、振動センサ５を使用して表示部４での個体区別表示の制御を行う場合を示したが、振動センサ５を使用することなく錠制御装置１との交信結果の表示に伴って個体区別表示を行うことができる。
【００３２】
図３はこの場合のフローチャートであり、携帯器Ａは初期状態において施解錠操作ボタン６の押下を監視し（ステップＳ２-１）、ボタン押下が検出されない場合には、錠制御装置１からのリクエストコードの受信を監視し（ステップＳ２-２）、リクエストコードが受信されない場合にはステップＳ２-１に戻る。
【００３３】
ステップＳ２-２でリクエストコード受信が確認されると、受信リクエストコードとコード格納部内のリクエストコードを比較し（ステップＳ２-３）、一致しない場合には施解錠ボタン押下検出ステップ（ステップＳ２-１）に戻る。ステップＳ２-３でリクエストコードの一致が確認されると、リクエストコード受領通知を兼ねた個体区別表示が行われ（ステップＳ２-４）、次いで、認証用ＩＤを出力した後（ステップＳ２-５）、ＬＥＤを消灯し（ステップＳ２-６）、ステップＳ２-１に戻る。
【００３４】
ステップＳ２-１で施解錠ボタン操作が検出された場合には、ボタン操作の通知を兼ねて個体区別表示を行った後（ステップＳ２-１-１）、認証用ＩＤを送信して（ステップＳ２-１-２）ステップＳ２-１に戻る。
【図面の簡単な説明】
【００３５】
【図１】通報システムを示す構成図である。
【図２】携帯器の動作を示すフローチャートである。
【図３】図２の変形例を示すフローチャートである。
【図４】携帯器の機能ブロック図である。
【符号の説明】
【００３６】
１        錠制御装置
２        交信手段
３        コード記憶部
４        表示部
５        振動センサ
６        認証用ＩＤ送信開始操作部
【図１】
2007231603.tif 000003
【図２】
2007231603.tif 000004
【図３】
2007231603.tif 000005
【図４】
2007231603.tif 000006